(57)【特許請求の範囲】
【請求項１】
巻き取り方向へ回転するように付勢されたリールに、先端部にフックを取り付けたベルトの後端部が取り付けられ、前記リールが引き出し方向へ回転するのを阻止する引き出しロック機構を備えた物品保持具を、シートの背もたれの上部またはヘッドレストに内蔵させ、
前記物品保持具の不使用状態では、前記フックと、前記引き出しロック機構をロック状態またはアンロック状態にする操作ボタンとを、前記シートの背もたれの上端部の表面または前記ヘッドレストの下端部の表面に突出させないように露出させ、
前記物品保持具の使用状態では、前記フックに引っ掛けた物品を、付勢された前記リールに取り付けられた前記ベルトで吊って前記シートに載置させる、
ことを特徴とする自動車シート用物品保持具。
【請求項２】
請求項１に記載の自動車シート用物品保持具において、
前記物品保持具の不使用状態では、前記シートの背もたれの上端部または前記ヘッドレストの下端部に内蔵させて前記リールと前記ベルトとを収納させたケースの開口部を、前記ケースと一部が連通すると共に前記シートの背もたれの上端部側または前記ヘッドレストの下端部側が開放した容器で覆い、前記容器に前記フックと前記操作ボタンとを収容させる、
ことを特徴とする自動車シート用物品保持具。
【発明の詳細な説明】
【技術分野】
【０００１】
この発明は、自動車の、例えば、助手席（シート）の座部に買い物袋を載置するとき、買い物袋が転倒しないように保持する自動車シート用物品保持具に関するものである。
【背景技術】
【０００２】
上記した用途に使用する買い物袋懸吊具として、接着布でループ状にしたベルトの上部に設けた袋部にストッパ部材を収容し、袋部に設けた通し孔およびストッパ部材の係止孔にループ状の吊り下げロープを挿通した構成のものが提案されている（例えば、特許文献１参照。）。
【０００３】
この買い物袋懸吊具は、吊り下げロープを、例えば、助手席のヘッドレストの支柱に引っ掛け、背もたれの前側に垂れ下げる吊り下げロープの長さを、ストッパ部材を操作して調整し、買い物袋の吊り下げ部をベルトで保持することにより、買い物袋を助手席（シート）の座部に転倒しないように載置させることができる。
【０００４】
【特許文献１】特開２００２−３６９５９号公報
【発明の開示】
【発明が解決しようとする課題】
【０００５】
しかしながら、使用するシートの背もたれの高さ、吊り下げる買い物袋の長さに応じて背もたれの前側に垂れ下げる吊り下げロープの長さをその都度調整しなければならないので、吊り下げロープの長さ調整が煩わしく、面倒であるとともに、使い勝手が悪かった。
また、使用時にシートに装着し、不使用時にシートから取り外す必要があるので、使用に際して買い物袋懸吊具の脱着が煩わしく、使い勝手が悪かった。
【０００６】
この発明は、上記したような不都合を解消するためになされたもので、ベルトの長さ調整が不要で、使い勝手のよい自動車シート用物品保持具を提供するものである。
【課題を解決するための手段】
【０００７】
この発明は、以下のような内容である。
（１）巻き取り方向へ回転するように付勢されたリールに、先端部にフックを取り付けたベルトの後端部が取り付けられ、前記リールが引き出し方向へ回転するのを阻止する引き出しロック機構を備えた物品保持具を、シートの背もたれの上部またはヘッドレストに内蔵させ、前記物品保持具の不使用状態では、前記フックと、前記引き出しロック機構をロック状態またはアンロック状態にする操作ボタンとを、前記シートの背もたれの上端部の表面または前記ヘッドレストの下端部の表面に突出させないように露出させ、前記物品保持具の使用状態では、前記フックに引っ掛けた物品を、付勢された前記リールに取り付けられた前記ベルトで吊って前記シートに載置させることを特徴とする自動車シート用物品保持具である。
（２）（１）に記載の自動車シート用物品保持具において、前記物品保持具の不使用状態では、前記シートの背もたれの上端部または前記ヘッドレストの下端部に内蔵させて前記リールと前記ベルトとを収納させたケースの開口部を、前記ケースと一部が連通すると共に前記シートの背もたれの上端部側または前記ヘッドレストの下端部側が開放した容器で覆い、前記容器に前記フックと前記操作ボタンとを収容させることを特徴とする。
【発明の効果】
【０００８】
この発明によれば、リールがベルトの巻き取り方向へ付勢されているので、フックに荷物を引っ掛けた後、ベルトの長さ調整を行わなくても、荷物が転倒しない最適な長さにベルトが巻き取られ、保持されるため、ベルトの長さ調整が不要となり、使い勝手がよくなる。
また、物品保持具を、シートの背もたれの上部またはヘッドレストに内蔵させたので、不使用時の物品保持具がシートまたはヘッドレストの使用の障害とならないため、物品保持具の脱着が不要となり、使い勝手がよくなる。
また、物品保持具を、シートの背もたれの上部またはヘッドレストに内蔵させたので、使用時にフックを引っ張り出すことによって即座に使用することができるため、使い勝手がよくなる。
そして、フックと、引き出しロック機構をロック状態またはアンロック状態にする操作ボタンとを、シートの背もたれの表面またはヘッドレストの表面に露出させたので、操作性が向上し、使い勝手がよくなる。
【発明を実施するための最良の形態】
【０００９】
以下、この発明の実施例を図に基づいて説明する。
【００１０】
図１はこの発明の一実施例である自動車シート用物品保持具の斜視図、図２は図１に示した物品保持具のベルトを省略した分解斜視図、図３〜図６は図１に示した自動車シート用物品保持具の一使用例の動作説明図、図７は図１に示した自動車シート用物品保持具の他の使用例を示す説明図である。
【００１１】
この発明の一実施例である自動車シート用物品保持具Ｈは、図１に示すように、例えば、乗用自動車などに取り付けられている座席と称されるシート１１と、容器２３と、フック２６と、引き出しロック機構３２をロック状態またはアンロック状態にする操作ボタン３０とを、シート１１を構成する背もたれ１３の上部（上端部）に露出させるとともに、背もたれ１３の上部（上端部）の表面（上面）から突出しないように背もたれ１３に内蔵された物品保持具２１とで構成されている。
【００１２】
上記したシート１１は、図６に示すように、座る座部１２と、この座部１２の後側に、下部を支点にして前後方向へ回動可能に取り付けられた背もたれ１３と、この背もたれ１３の上部に、高さを調整可能に取り付けられたヘッドレスト１４とで構成されている。
そして、ヘッドレスト１４は、頭部を支えるヘッドレスト本体１４ｈと、このヘッドレスト本体１４ｈから下側へ延び、背もたれ１３の上端から内部へ高さ調整可能に差し込まれる２本の支柱１４ｓとで構成されている。
【００１３】
上記した物品保持具２１は、図２に示すように、周面の一部が開口した円筒状のケース２２（図１１をも参照。）と、このケース２２の上面（または底面）に取り付けられ、ケース２２内に一部分が連通する上面（または底面）が開放した直方体形状の容器２３と、ケース２２内に回転可能に収容され、一端にラチェット２４ｒが設けられたリール２４と、このリール２４の軸に後端部が巻き取り可能に取り付けられ、ケース２２内から容器２３内へ引き出されるベルト２５（図５参照。）と、このベルト２５の先端部に取り付けられるフック２６と、一端部がリール２４の軸の端（ラチェット２４ｒ側と反対側の他端。）に取り付けられるとともに、他端部がケース２２の内側に取り付けられ、ベルト２５をケース２２内へ巻き取るようにリール２４を付勢するリール付勢手段としてのゼンマイ２７と、ケース２２の側面に取り付けられ、ゼンマイ２７をケース２２内に収容させるキャップ２８と、ケース２２の周面に、開口を覆うように取り付けられるカバー２９と、リール２４のラチェット２４ｒと係脱可能にケース２２に取り付けられ、容器２３の上面から操作可能に容器２３内へ突出する操作ボタン３０と、この操作ボタン３０に一端部が取り付けられるとともに、他端部がケース２２に取り付けられ、操作ボタン３０をロック状態またはアンロック状態に維持するように付勢する操作ボタン付勢手段としてのコイルスプリング３１とで構成されている。
【００１４】
上記した引き出しロック機構３２は、リール２４に設けられたラチェット２４ｒと、このラチェット２４ｒに係合することにより、ベルト２５を繰り出すようにリール２４が引き出し方向へ回転するのを阻止し、ベルト２５を巻き取るようにリール２４が巻き取り方向へ回転するのを許容する操作ボタン３０と、この操作ボタン３０をロック状態またはアンロック状態に維持するコイルスプリング３１とで構成されている。
そして、操作ボタン３０は、ベルト２５を繰り出ないように引き出しロック機構３２（ラチェット２４ｒ）をロック状態にしても、または、ベルト２５を繰り出すことができるように引き出しロック機構３２（ラチェット２４ｒ）をアンロック状態にしても、容器２３の上面から自身の一部分が突出しない形状とされている。
【００１５】
次に、自動車シート用物品保持具Ｈの使用方法の一例について説明する。
まず、図３に示すように、操作ボタン３０の後側（背もたれ１３の後側に位置する部分。）を上側から押し下げて引き出しロック機構３２をアンロック状態にすると、操作ボタン３０はコイルスプリング３１によってアンロック状態を維持するので、図４に示すように、フック２６のベルト２５が取り付けられている後側（背もたれ１３の後側に位置する部分。）を上側から押し下げてフック２６の前側を容器２３の上側へ突出させる。
そして、容器２３の上側へ突出したフック２６の前側を把持して、図５に示すように、背もたれ１３の前側へ引っ張り出すと、ベルト２５を背もたれ１３の前側へ引き出すことができる。
【００１６】
このように、ベルト２５を背もたれ１３の前側へ所定長引き出し、ゼンマイ２７にベルト２５を巻き取る付勢力を付与した後、図５に示すように、操作ボタン３０の前側を上側から押し下げて引き出しロック機構３２をロック状態にすると、操作ボタン３０はコイルスプリング３１によってロック状態を維持し、ラチェット２４ｒに係合できる状態となる。
この状態で、図６に示すように、中に買った商品を収納させた買い物袋Ｂ（荷物）の吊り下げ部ｈを、フック２６に引っ掛けた後、買い物袋Ｂを座部１２に載置し、買い物袋Ｂから手を離すと、ベルト２５がゼンマイ２７の付勢力によって巻き取られることにより、座部１２に底が着き、吊り下げ部ｈがフック２６で引き上げられている状態の買い物袋Ｂを座部１２に載置することができる。
【００１７】
この状態で、買い物袋Ｂに荷重がかかって買い物袋Ｂが転倒しかけても、操作ボタン３０がラチェット２４ｒに係合し、ベルト２５が繰り出されないので、座部１２に載置した買い物袋Ｂは転倒しなくなる。
【００１８】
そして、買い物袋Ｂを座部１２から取り出すために吊り下げ部ｈを持ち上げてフック２６から取り外すとともに、フック２６から手を離すと、ゼンマイ２７の付勢力によってラチェット２４ｒが操作ボタン３０を持ち上げることにより、リール２４がゼンマイ２７の付勢力によって回転し、ベルト２５をケース２２内に巻き取るとともに、フック２６を容器２３内へと移動させる。
そして、図１に示すように、フック２６が容器２３内へ移動し、容器２３内に収容されると、ベルト２５は巻き取られなくなる。
【００１９】
上記した自動車シート用物品保持具Ｈの他の使用方法は、図７に示すように、ベルト２５およびフック２６を背もたれ１３の後側へ引き出し、フック２６に荷物を引っ掛けることにより、荷物を転倒しないように床に載置することができる。
【００２０】
上述したように、この発明の一実施例によれば、リール２４がベルト２５の巻き取り方向へ付勢されているので、フック２６に買い物袋Ｂの吊り下げ部ｈを引っ掛けた後、ベルト２５の長さ調整を行わなくても、買い物袋Ｂが座部１２上で転倒しない最適な長さにベルト２５が巻き取られ、保持されるため、ベルト２５の長さ調整が不要となり、使い勝手がよくなる。
また、物品保持具２１を、シート１１の背もたれ１３の上部に内蔵させたので、不使用時の物品保持具２１がシート１１の使用の障害とならないため、物品保持具２１の脱着が不要となり、使い勝手がよくなる。
さらに、フック２６と、操作ボタン３０とを、背もたれ１３の上部（上端部）の表面（上面）から突出しないように物品保持具２１を背もたれ１３に内蔵させたので、外観がすっきりして見栄えのよいものとなる。
また、物品保持具２１を、シート１１の背もたれ１３の上部に内蔵させたので、使用時にフック２６を引き出すことによって即座に使用することができるため、使い勝手がよくなる。
そして、フック２６と、操作ボタン３０とを、シート１１の背もたれ１３の表面に露出させたので、操作性が向上し、使い勝手がよくなる。
【００２１】
図８はこの発明の他の実施例である自動車シート用物品保持具の斜視図、図９は図８に示したヘッドレストの下側を示す斜視図、図１０は図８に示した物品保持具のベルトを省略した分解斜視図、図１１〜図１３は図８に示した自動車シート用物品保持具の動作説明図であり、図１〜図７と同一部分または図１〜図７の部分に相当するに同一符号を付し、その説明を省略する。
【００２２】
この実施例が先の実施例と異なるところは、図８〜図１０に示すように、上下を反転させた物品保持具２１をヘッドレスト本体１４ｈの下部（下端部）の表面（底面）から突出しないようにヘッドレスト本体１４ｈに内蔵させるとともに、容器２３と、フック２６と、操作ボタン３０とをヘッドレスト本体１４ｈの下部（下端部）に露出させた点、ヘッドレスト本体１４ｈの前下側に物品保持具２１の一部を露出させる凹部（切欠）１４ｄを設けた点、および、フック２６を凹部（切欠）１４ｄから前方向へ引き出せるように、ヘッドレスト本体１４ｈの下部（下端部）の表面（底面）に対してフック２６を平行に収容する収容部２３ｐを容器２３に設けた点である。
【００２３】
次に、自動車シート用物品保持具Ｈの使用方法について説明する。
まず、図１１に示すように、操作ボタン３０の前側（ヘッドレスト本体１４ｈの前側に位置する部分。）を下側から押し上げて引き出しロック機構３２をアンロック状態にすると、操作ボタン３０はコイルスプリング３１によってアンロック状態を維持するので、フック２６を容器２３の収容部２３ｐからヘッドレスト本体１４ｈの凹部１４ｄを経由して背もたれ１３およびヘッドレスト１４の前側へ引き出すことにより、図１２に示すように、ベルト２５を背もたれ１３の前側へ引き出すことができる。
【００２４】
このように、ベルト２５を背もたれ１３の前側へ所定長引き出し、ゼンマイ２７にベルト２５を巻き取る付勢力を付与した後、操作ボタン３０の後側を下側から押し上げて引き出しロック機構３２をロック状態にすると、操作ボタン３０はコイルスプリング３１によってロック状態を維持し、ラチェット２４ｒに係合できる状態となる。
この状態で、図１３に示すように、中に買った商品を収納させた買い物袋Ｂ（荷物）の吊り下げ部ｈを、フック２６に引っ掛けた後、買い物袋Ｂを座部１２に載置し、買い物袋Ｂから手を離すと、ベルト２５がゼンマイ２７の付勢力によって巻き取られることにより、座部１２に底が着き、吊り下げ部ｈがフック２６で引き上げられている状態の買い物袋Ｂを座部１２に載置することができる。
【００２５】
この状態で、買い物袋Ｂに荷重がかかって買い物袋Ｂが転倒しかけても、操作ボタン３０がラチェット２４ｒに係合し、ベルト２５が繰り出されないので、座部１２に載置した買い物袋Ｂは転倒しなくなる。
【００２６】
そして、買い物袋Ｂを座部１２から取り出すために吊り下げ部ｈを持ち上げてフック２６から取り外すとともに、フック２６から手を離すと、ゼンマイ２７の付勢力によってラチェット２４ｒが操作ボタン３０を持ち上げることにより、リール２４がゼンマイ２７の付勢力によって回転し、ベルト２５をケース２２内に巻き取るとともに、フック２６を容器２３内へと移動させる。
そして、図８および図９に示すように、フック２６が容器２３内へ移動し、収容部２３ｄ内に収容されると、ベルト２５は巻き取られなくなる。
【００２７】
上述したように、この発明の他の実施例によれば、リール２４がベルト２５の巻き取り方向へ付勢されているので、フック２６に買い物袋Ｂの吊り下げ部ｈを引っ掛けた後、ベルト２５の長さ調整を行わなくても、買い物袋Ｂが座部１２上で転倒しない最適な長さにベルト２５が巻き取られ、保持されるため、ベルト２５の長さ調整が不要となり、使い勝手がよくなる。
また、物品保持具２１を、ヘッドレスト本体１４ｈ（ヘッドレスト１４）の下部に内蔵させたので、不使用時の物品保持具２１がシート１１の使用の障害とならないため、物品保持具２１の脱着が不要となり、使い勝手がよくなる。
さらに、フック２６と、操作ボタン３０とを、ヘッドレスト本体１４ｈ（ヘッドレスト１４）の下部（下端部）の表面（底面）から突出しないように物品保持具２１をヘッドレスト本体１４ｈ（ヘッドレスト１４）に内蔵させたので、外観がすっきりして見栄えのよいものとなる。
また、物品保持具２１を、ヘッドレスト本体１４ｈ（ヘッドレスト１４）の下部に内蔵させたので、さらに、ヘッドレスト本体１４ｈの下部（下端部）の表面（底面）に対してフック２６を平行に収容する収容部２３ｐを容器２３に設けたので、使用時にフック２６を引き出すことによって即座に使用することができるため、使い勝手がよくなる。
そして、フック２６と、操作ボタン３０とを、ヘッドレスト本体１４ｈ（ヘッドレスト１４）の表面に露出させたので、操作性が向上し、使い勝手がよくなる。
【００２８】
上記した実施例では、操作ボタン３０のロック状態およびアンロック状態をコイルスプリング３１で維持する例を示したが、ケース２２または容器２３と、操作ボタン３０との間に操作ボタン３０のロック状態、アンロック状態を維持する係止部と係合部とを設け、操作ボタン３０のロック状態およびアンロック状態を維持させてもよい。
また、ヘッドレスト本体１４ｈの下部に物品保持具２１を内蔵させた例を示したが、物品保持具２１をヘッドレスト本体１４ｈの他の部分に内蔵させても、同様な効果を得ることができる。
【図面の簡単な説明】
【００２９】
【図１】この発明の一実施例である自動車シート用物品保持具の斜視図である。
【図２】図１に示した物品保持具のベルトを省略した分解斜視図である。
【図３】図１に示した自動車シート用物品保持具の一使用例の動作説明図である。
【図４】図１に示した自動車シート用物品保持具の一使用例の動作説明図である。
【図５】図１に示した自動車シート用物品保持具の一使用例の動作説明図である。
【図６】図１に示した自動車シート用物品保持具の一使用例の動作説明図である。
【図７】図１に示した自動車シート用物品保持具の他の使用例を示す説明図である。
【図８】この発明の他の実施例である自動車シート用物品保持具の斜視図である。
【図９】図８に示したヘッドレストの下側を示す斜視図である。
【図１０】図８に示した物品保持具のベルトを省略した分解斜視図である。
【図１１】図８に示した自動車シート用物品保持具の動作説明図である。
【図１２】図８に示した自動車シート用物品保持具の動作説明図である。
【図１３】図８に示した自動車シート用物品保持具の動作説明図である。
【符号の説明】
【００３０】
Ｈ      自動車シート用物品保持具
１１    シート
１２    座部
１３    背もたれ
１４    ヘッドレスト
１４ｈ  ヘッドレスト本体
１４ｄ  凹部（切欠）
１４ｓ  支柱
２１    物品保持具
２２    ケース
２３    容器
２３ｐ  収容部
２４    リール
２４ｒ  ラチェット（引き出しロック機構）
２５    ベルト
２６    フック
２７    ゼンマイ（リール付勢手段）
２８    キャップ
２９    カバー
３０    操作ボタン（引き出しロック機構）
３１    コイルスプリング（操作ボタン付勢手段、引き出しロック機構）
３２    引き出しロック機構
Ｆ      フック掛け部材
Ｂ      買い物袋（荷物）
ｈ      吊り下げ部
Ｏ      箱（荷物）
【図１】
0005172398.tif 000002
【図２】
0005172398.tif 000003
【図３】
0005172398.tif 000004
【図４】
0005172398.tif 000005
【図５】
0005172398.tif 000006
【図６】
0005172398.tif 000007
【図７】
0005172398.tif 000008
【図８】
0005172398.tif 000009
【図９】
0005172398.tif 000010
【図１０】
0005172398.tif 000011
【図１１】
0005172398.tif 000012
【図１２】
0005172398.tif 000013
【図１３】
0005172398.tif 000014